(57)【要約】【課題】記録媒体を、長期にわたって、しかも、安価に保存することが可能な記録媒体の保管方法を提供する。【解決手段】本発明の記録媒体の保管方法１００は、開封によって破壊痕跡が残る不可逆構造を有するカートリッジに、記録媒体を収容する工程（Ｓ１０１）と、前記カートリッジを前記不可逆構造により封止する工程（Ｓ１０２）と、金属層と合成樹脂層とからなるラミネートフィルムにより形成され一方端に開口部を有する袋部材に、前記カートリッジを収容する工程（Ｓ１０３）と、前記袋部材内を真空引きする工程（Ｓ１０４）と、前記袋部材内に不活性ガスを封入すると共に、前記開口部を封口する工程（Ｓ１０５）と、を有することを特徴とする【選択図】  図１
2013177179.tif 000002
【特許請求の範囲】
【請求項１】
開封によって破壊痕跡が残る不可逆構造を有するカートリッジに、記録媒体を収容する工程と、
前記カートリッジを前記不可逆構造により封止する工程と、
金属層と合成樹脂層とからなるラミネートフィルムにより形成され一方端に開口部を有する袋部材に、前記カートリッジを収容する工程と、
前記袋部材内を真空引きする工程と、
前記袋部材内に不活性ガスを封入すると共に、前記開口部を封口する工程と、
を有することを特徴とする記録媒体の保管方法。
【請求項２】
前記袋部材に前記カートリッジを収容する工程において、脱酸素剤と酸素検知剤を前記カートリッジと共に前記袋部材に収容することを特徴とする請求項１に記載の記録媒体の保管方法。
【請求項３】
前記カートリッジと前記脱酸素剤とが収容される第1空間と、前記酸素検知剤のみが収容
される第２空間とを独立させたことを特徴とする請求項２に記載の記録媒体の保管方法。
【請求項４】
前記第２空間を構成する前記袋部材には前記金属層が設けられていない透過窓があることを特徴とする請求項３に記載の記録媒体の保管方法。
【請求項５】
前記記録媒体が光ディスクであることを特徴とする請求項１乃至請求項４のいずれか１項に記載の記録媒体の保管方法。
【請求項６】
さらに、前記カートリッジが収容された前記袋部材を防湿庫に収納する工程を有することを特徴とする請求項１乃至請求項５のいずれか１項に記載の記録媒体の保管方法。
【発明の詳細な説明】
【技術分野】
【０００１】
本発明は、光ディスクなどの光記録媒体に記録されているデータを長期にわたって保存する記録媒体の保管方法に関する。
【背景技術】
【０００２】
高密度画像データ等の大容量の情報を書き込み可能な記録媒体の一つとして光記録媒体が挙げられる。このような光記録媒体としては、例えば、光磁気ディスク、相変化型光ディスク等の書き換え型光記録媒体やＣＤ−Ｒ、ＤＶＤ−Ｒ、ＢＤ−Ｒ等の追記型光記録媒体については既に実用化されている。
【０００３】
しかし、上記のような光記録媒体では、記録層にフォトポリマーが含まれているため、長期間保存すると、記録層中の酸素又は水分の濃度が徐々に高まり、該記録層が変質して感度が変動したり、酸素又は水分による重合阻害効果によって、該記録層の感度が低下したりする、という問題がある。
【０００４】
そこで、光ディスクなどの光記録媒体を、長期間にわたり保存するために、ガスバリア性を有する包装材料に収納することが提案されている。例えば、特許文献１（特開２００８−３７４４３号公報）には、長期間にわたって記録媒体を保存可能とするために、記録媒体を透湿度が０．０１〜１．０ｇ／（ｍ2・ｄａｙ）以下の包装材料で密閉することが
開示されている。
【特許文献１】特開２００８−３７４４３号公報
【発明の概要】
【発明が解決しようとする課題】
【０００５】
しかしながら、引用文献１に係る従来例においては、ホログラフィにより情報を記録する光記録媒体を利用しているが、このような光記録媒体は未だ普及しておらず高価であり、従来例によれば、データ保存のためのコストがかかる、という問題があった。
【課題を解決するための手段】
【０００６】
上記問題を解決するために、請求項１に係る発明は、開封によって破壊痕跡が残る不可逆構造を有するカートリッジに、記録媒体を収容する工程と、前記カートリッジを前記不可逆構造により封止する工程と、金属層と合成樹脂層とからなるラミネートフィルムにより形成され一方端に開口部を有する袋部材に、前記カートリッジを収容する工程と、前記袋部材内を真空引きする工程と、前記袋部材内に不活性ガスを封入すると共に、前記開口部を封口する工程と、を有することを特徴とする記録媒体の保管方法である。
【０００７】
また、請求項２に係る発明は、請求項１に記載の記録媒体の保管方法において、前記袋部材に前記カートリッジを収容する工程において、脱酸素剤と酸素検知剤を前記カートリッジと共に前記袋部材に収容することを特徴とする。
【０００８】
また、請求項３に係る発明は、請求項２に記載の記録媒体の保管方法において、前記カートリッジと前記脱酸素剤とが収容される第1空間と、前記酸素検知剤のみが収容される
第２空間とを独立させたことを特徴とする。
【０００９】
また、請求項４に係る発明は、請求項３に記載の記録媒体の保管方法において、前記第２空間を構成する前記袋部材には前記金属層が設けられていない透過窓があることを特徴とする。
【００１０】
また、請求項５に係る発明は、請求項１乃至請求項４のいずれか１項に記載の記録媒体の保管方法において、前記記録媒体が光ディスクであることを特徴とする。
【００１１】
また、請求項６に係る発明は、請求項１乃至請求項５のいずれか１項に記載の記録媒体の保管方法において、さらに、前記カートリッジが収容された前記袋部材を防湿庫に収納する工程を有することを特徴とする。
【発明の効果】
【００１２】
本発明に係る記録媒体の保管方法においては、現在、広く普及している光記録媒体を用いることができ、本発明に係る記録媒体の保管方法によれば、記録媒体を、長期にわたって、しかも、安価に保存することが可能となる。
【図面の簡単な説明】
【００１３】
【図１】本発明の実施形態に係る記録媒体の保管方法の流れを示す図である。
【図２】本発明の実施形態に係る記録媒体の保管方法で保存する光記録媒体の一例である光ディスク１０を示す図である。
【図３】カートリッジ２０に光ディスク１０を収容した状態を示す図である。
【図４】カートリッジ２０、脱酸素剤６０、酸素検知剤７０の袋部材４０への収容工程を示す図である。
【図５】真空引きした後に、窒素を封入する工程を経た袋部材４０を示す図である。
【図６】密閉シール工程を経た袋部材４０を示す図である。
【図７】光ディスク１０が収容されている袋部材４０を防湿庫９０で保管する様子を示す図である。
【発明を実施するための形態】
【００１４】
以下、本発明の実施形態の図面を参照しつつ説明する。図１は本発明の実施形態に係る記録媒体の保管方法の流れを示す図である。また、図２は本発明の実施形態に係る記録媒体の保管方法で保存する光記録媒体の一例である光ディスク１０を示す図である。本発明で利用する光ディスク１０としては、データを記録する記録層の上層、及び下層に誘電体層（いずれの層も、不図示）を備えるものを用いることが好適である。このような光ディスク１０としては、現在では広く流通しているものを用いることができる。
【００１５】
ステップＳ１０１は、光ディスク１０をカートリッジ２０に収容する工程である。本発明で用いるカートリッジ２０には、開封によって破壊痕跡が残る不可逆構造３０を有するものを用いる。このような不可逆構造３０の具体的な構造としては従来周知のものを適宜採用することができる。本発明においては、このような不可逆構造３０を有するカートリッジ２０が用いられているために、痕跡を残すことなくデータの読み取りや改ざんを行うことができない。ステップＳ１０２では、このようなカートリッジ２０の不可逆構造３０によって光ディスク１０をカートリッジ２０に封止する。
【００１６】
ステップＳ１０３は、カートリッジ２０、脱酸素剤６０、酸素検知剤７０を袋部材４０に収容する工程である。本発明で用いる袋部材４０は、金属層と合成樹脂層（いずれの層も不図示）とからなるラミネートフィルムから構成されており、一方端に開口部４１を有しており、この開口部４１からカートリッジ２０、脱酸素剤６０、酸素検知剤７０を袋部材４０に収容する。
【００１７】
袋部材４０を構成するラミネートフィルムの金属層としては、アルミニウムを用いると好適である。ラミネートフィルムを構成する合成樹脂層には、酸素や水分の透過性があるが、このような金属層により、酸素や水分の透過を遮蔽することが可能となる。
【００１８】
また、袋部材４０を構成するラミネートフィルムの合成樹脂層としては、特に制限はなく、公知のものの中から適宜選択することができ、例えば、ポリエチレン、ポリプロピレン、ポリエチレンテレフタラート、脂肪族ポリアミド、芳香族ポリアミド、ポリフェニレンスルフィド、ポリスチレン、ポリカーボネート、ポリ塩化ビニル、ポリアクリロニトリル、エチレン／ビニルアルコール共重合体、ポリ塩化ビニリデン、ポリイミド、アイオノマー、これらの複合材料、などが挙げられる。
【００１９】
本発明で用いる袋部材４０には、前記のような金属層が設けられていない透過窓４２があることを１つの特徴としている。このような透過窓４２が設けられることにより、袋部材４０中に収容する酸素検知剤７０の色の変化を、袋部材４０の外部から確認することができるようになっている。本実施形態では、透過窓４２を袋部材４０の両側に設けるようにしているが、片側ののみにすることもできる。また、この透過窓４２の広さは、酸素検知剤７０の色の変化を確認することができれば、どのような大きさとしてもよい。例えば、酸素検知剤７０の一部のみが見える程度の広さとしても構わない。
【００２０】
袋部材４０にカートリッジ２０と共に収容する酸素検知剤７０は、酸素検知剤７０は、雰囲気中の酸素濃度が一定量に達した際に発色若しくは変色するものであり、袋部材４０の透過窓４２からその発色若しくは変色を確認することができる。袋部材４０中に収容する酸素検知剤７０の個数は任意に選定する。
【００２１】
袋部材４０にカートリッジ２０と共に収容する脱酸素剤６０には、例えば、還元鉄の微粉末等、酸化傾向の大きい物質を用いることができる。
【００２２】
なお、数年に１回程度の頻度で、光ディスク１０に記録されているデータの保存状態を確認する運用を行うことが望ましい。このような運用で光ディスク１０の保管を行う場合、袋部材４０には、金属層が設けられていない、合成樹脂層のみから構成されるものを用いるようにしてもよい。
【００２３】
ステップＳ１０４では、袋部材４０の内部を真空引きし、続くステップＳ１０５では、袋部材４０の内に窒素などの不活性ガスを封入する。
【００２４】
続く、ステップＳ１０６では、熱溶着などにより、内部に窒素封入された袋部材４０の密閉シールを行う。
【００２５】
このような袋部材４０の密閉シール工程においては、まず、第1シール部Ｓ１を形成す
ることでカートリッジ２０及び脱酸素剤６０が収容される第1空間Ｒ１を形成する。この
第1空間Ｒ１には透過窓４２が設けられていない。
【００２６】
次に、袋部材４０の開口部４１において、第２シール部Ｓ２を形成し、袋部材４０を封口することで、酸素検知剤７０が収容される第２空間Ｒ２を形成する。この第２空間Ｒ２には透過窓４２が設けられている。図６は密閉シール工程を経た袋部材４０を示す図である。
【００２７】
このように、本発明においては、カートリッジ２０と脱酸素剤６０とが収容される第1
空間Ｒ１と、酸素検知剤７０のみが収容される第２空間Ｒ２とは、第1シール部Ｓ１で隔
絶されることで、互いに独立した状態となっている。
【００２８】
第２空間Ｒ２には、袋部材４０を構成するラミネートフィルムに金属層が設けられていない透過窓４２が設けられており、酸素や水分が侵入しやすい。したがって、光ディスク
１０を保存するという観点では、第1空間Ｒ１より第２空間Ｒ２の方が、条件が悪い。本
発明においては、このような保存条件がより悪い第２空間Ｒ２に酸素検知剤７０を収容し、この変色を透過窓４２から確認することができるようになっている。このため、カートリッジ２０が収容されている第1空間Ｒ１への酸素の侵入に先立って、袋部材４０の第1空間Ｒ１への酸素侵入する可能性を知ることができるようになっている。
【００２９】
以上のような方法により、カートリッジ２０、脱酸素剤６０、及び酸素検知剤７０が収容された袋部材４０は、ステップＳ１０７において、図７に示すように、防湿庫９０に収納する。
【符号の説明】
【００３０】
１０・・・光ディスク
２０・・・カートリッジ
３０・・・不可逆構造
４０・・・袋部材
４１・・・開口部
４２・・・透過窓
６０・・・脱酸素剤
７０・・・酸素検知剤
９０・・・防湿庫
Ｒ１・・・第1空間
Ｒ２・・・第２空間
Ｓ１・・・第1シール部
Ｓ２・・・第２シール部
【図１】
2013177179.tif 000003
【図２】
2013177179.tif 000004
【図３】
2013177179.tif 000005
【図４】
2013177179.tif 000006
【図５】
2013177179.tif 000007
【図６】
2013177179.tif 000008
【図７】
2013177179.tif 000009